(57)【要約】【課題】  複数の部品を収納でき、さらには大型補助ベッドともなるミシンカバーを備えるミシンを提供すること。【解決手段】  ミシンカバー１２は、ミシンカバー１２を図１に示すミシン本体１１に装着した際（図４参照）、ミシン本体１１正面側と対向するミシンカバー１２内面に併設され、ミシン本体１１のアーム部３先端部から垂下する顎部５及び針取付部４とミシンカバー１２内面との間の空間に位置しフットコントローラ１５を収納する第１の収納部１３、並びにアーム部３の中間部３ｍ、ミシン本体１１のベッド部１及び脚部２に囲まれた空間に位置する付属品収納箱１６を収納する第２の収納部１４と、を有し、ミシンカバー１２は大型補助ベッド（図３参照）ともなる。【選択図】  図５
2006175030.tif 000002
【特許請求の範囲】
【請求項１】
上面にベッド面が形成されたベッド部と、前記ベッド部の一方の側面から立設された脚部と、前記脚部から前記ベッド部と鉛直方向に対向しながら水平方向に延在するアーム部と、前記アーム部の先端部から垂下する顎部と、前記顎部の下部に設けられた針取付部と、を含むミシン本体と、前記ミシン本体正面側から少なくとも前記針取付部を覆うよう該ミシン本体に脱着可能に取り付けられるミシンカバーと、を有するミシンであって、
前記ミシンカバーを前記ミシン本体に装着した際、該ミシン本体正面側と対向する該ミシンカバー内面に併設され、前記顎部及び／又は針取付部と該ミシンカバー内面との間の空間に位置する第１の収納部、並びに前記アーム部の中間部と前記ベッド部と前記脚部とに囲まれた空間に位置する第２の収納部と、を有する、ことを特徴とするミシン。
【請求項２】
前記ミシン本体において前記ベッド部の該ミシン本体正面側に設けられた切欠部と、前記切欠部に適合するよう前記ミシン本体に脱着可能に取り付けられ、取付時、前記ベッド面と同一面をなす面を有する小型補助ベッドと、を有することを特徴とする請求項１記載のミシン。
【請求項３】
前記ミシン本体において前記ベッド部の該ミシン本体正面側に設けられた切欠部と、前記ミシンカバーに形成され前記ミシン本体側の切欠部と適合可能な切欠部と、を有し、前記切欠部同士を適合するよう前記ミシンカバーを前記ミシン本体に取り付けた際、前記ミシンカバーの外面は前記ベッド面と同一面をなすことにより、該ミシンカバーが大型補助ベッドとなる、ことを特徴とする請求項１記載のミシン。
【請求項４】
前記ミシンカバーは、少なくとも二組のボスと該ボスが嵌合する穴を介して前記ミシン本体に装着ないし取り付けられることを特徴とする請求項１記載のミシン。
【請求項５】
前記第１の収納部及び前記第２の収納部の一方に前記ミシンのフットコントローラー、同他方に付属品収納箱がそれぞれ収納されることを特徴とする請求項１記載のミシン。
【請求項６】
前記フットコントローラーは、弾性力によって前記第１の収納部又は前記第２の収納部に収納されることを特徴とする請求項５記載のミシン。
【請求項７】
前記ミシンカバーは、該ミシンカバーを前記大型補助ベッドとして使用する場合、前記ミシンの載置面に点接触する複数の足部を有することを特徴とする請求項３記載のミシン。
【発明の詳細な説明】
【技術分野】
【０００１】
本発明は、ミシンに関し、特に、ミシンカバーを備えたミシンに関し、中でもミシンカバーが大型補助ベッドとなるミシンに関する。
【背景技術】
【０００２】
特許文献１には、筒状の被加工物を加工する場合、補助ベッドをベッド部から取り外して被加工布の筒部をベッド部に挿入し、ミシンを保管する場合、補助ベッドをベッド部から取り外して、その取り外された補助ベッドをミシン本体に係合するミシンが開示されている。
【０００３】
特許文献２には、ミシンカバーをベッド面を拡張する補助ベッドとして使用する場合にはミシンカバー上面とベッド部上面が連続した水平作業面となり、かつミシンカバーに刺繍枠の駆動機構を組み込んだミシンが開示されている。
【０００４】
特許文献３には、ミシンカバーをカバー本体と分割カバーとに二分割し、カバー本体には刺繍枠左右駆動機構、分割カバーには刺繍枠前後移動機構をそれぞれ収容するミシンが開示されている。
【０００５】
特許文献４には、内部に付属品等を収納し、ベッド部に着脱可能に取り付けられて小型ベッドを形成する場合には、ミシン本体側の突起に嵌合する筒部と、ミシン本体側の取付レバーに嵌合する溝とを備えた小型補助ベッドと、全体が略方形に形成され底面四隅にそれぞれ支持脚、端部中央に凹部をそれぞれ備え、この凹部をベッド部に着脱可能に嵌合することにより大型ベッドを形成する大型補助ベッドと、をミシン本体とは別に有するミシンが開示されている。
【０００６】
特許文献５には、ミシン本体に複数の突起部、逆Ｌ字型ミシンカバーの内面に複数の凹部がそれぞれ形成され、複数の突起部と複数の凹部を係合させることにより、ミシンカバーがミシンを覆うようにミシン本体に取り付けられ、ミシンカバーを補助ベッドとして使用する場合には、この逆Ｌ字型ミシンカバーの切欠き部がベッド部に合わさるようミシンカバーとベッド部が接合されて、ベッド面とカバー面が同一作業面となるミシンが開示されている。
【０００７】
特許文献６には、収容時にはアーム先端及び針取付部を覆い、縫製時にはベッド部先端に接続されてベッド部を長さ方向に延長する副カバーを有するミシンが開示されている。
【０００８】
特許文献７には、ミシンカバーがフロントカバーとリヤカバーから成り、フロントカバーをベッド部に嵌合して補助ベッドとして使用するため、フロントカバーに嵌合用凹部を形成し、ミシン収容時にはこの凹部を蓋で覆うミシンが開示されている。
【０００９】
【特許文献１】特開平６−７５７２号公報
【特許文献２】特開平１０−２６３２４９号公報
【特許文献３】特開平１０−２６３２５０号公報
【特許文献４】実用新案登録第３０２１０４１号公報
【特許文献５】特開平６−３４３７８７号公報
【特許文献６】特開２００２−２８３９１号公報
【特許文献７】特開平１０−２０１９８１号公報
【発明の開示】
【発明が解決しようとする課題】
【００１０】
特許文献１〜３及び５〜７には、ミシンカバーをミシン本体に装着した際、ミシンカバー内側に形成される空間の利用方法が開示されていない。したがって、これらの文献のミシンは、ミシンの付属物（例えばフットコントローラ）を収納する手段がなく、実用的ではない。
【００１１】
なお、特許文献４にはミシンカバーが開示されず、又同文献のミシンによれば、大型補助ベッドをミシン本体と別に保管するための大きなスペースが必要である。
【００１２】
本発明の目的は、複数の部品を収納できるミシンカバーを備えるミシンを提供することである。本発明の別の目的は、保管スペースを取らない大型補助ベッドを提供することである。
【課題を解決するための手段】
【００１３】
本発明は、第１の視点において、上面にベッド面が形成されたベッド部と、前記ベッド部の一方の側面から立設された脚部と、前記脚部から前記ベッド部と鉛直方向に対向しながら水平方向に延在するアーム部と、前記アーム部の先端部から垂下する顎部と、前記顎部の下部に設けられた針取付部と、を含むミシン本体と、前記ミシン本体正面側から少なくとも前記針取付部を覆うよう該ミシン本体に脱着可能に取り付けられるミシンカバーと、を有するミシンであって、前記ミシンカバーを前記ミシン本体に装着した際、該ミシン本体正面側と対向する該ミシンカバー内面に併設され、前記顎部及び／又は針取付部と該ミシンカバー内面との間の空間に位置する第１の収納部、並びに前記アーム部の中間部と前記ベッド部と前記脚部とに囲まれた空間に位置する第２の収納部と、を有する、ことを特徴とするミシンを提供する。
【発明の効果】
【００１４】
本発明のミシンによれば、ミシンカバーをミシンに装着した際、ミシン本体とミシンカバー内面との間に生じる空間に、複数の部品、例えば、フットコントローラーと付属品収納箱を同時に収容することができる。また、本発明のミシンカバーは、大型補助ベッドとして使用することができるため、ミシン全体の保管スペースが減少する。
【発明を実施するための最良の形態】
【００１５】
本発明の好ましい実施の形態に係るミシンは、前記ミシン本体において前記ベッド部の該ミシン本体正面側に設けられた切欠部と、前記切欠部に適合するよう前記ミシン本体に脱着可能に取り付けられ、取付時、前記ベッド面と同一面をなす面を有する小型補助ベッドと、を有する。このミシンによれば、小型補助ベッドをワンタッチでミシン本体と脱着することができ、又小型補助ベッドをミシン本体に付属させることで、コンパクトに収納できる。
【００１６】
本発明の好ましい実施の形態に係るミシンは、前記ミシン本体において前記ベッド部の該ミシン本体正面側に設けられた切欠部と、前記ミシンカバーに形成され前記ミシン本体側の切欠部と適合可能な切欠部と、を有し、前記切欠部同士を適合するよう前記ミシンカバーを前記ミシン本体に取り付けた際、前記ミシンカバーの外面は前記ベッド面と同一面をなすことにより、該ミシンカバーが大型補助ベッドとなる。このミシンによれば、大型補助ベッドをワンタッチでミシン本体と脱着することができ、又大型補助ベッドをミシンカバー兼用とすることで、ミシン全体がコンパクトになる。
【００１７】
本発明の好ましい実施の形態において、前記ミシンカバーは、少なくとも二組のボスと該ボスが嵌合する穴を介して前記ミシン本体に装着ないし取り付けられ、カバーとして用いる場合及び／又は拡大ベッド部として用いる場合、装着又は脱着が簡易となる。
【００１８】
本発明の好ましい実施の形態において、前記第１の収納部及び前記第２の収納部の一方に前記ミシンのフットコントローラー、同他方に付属品収納箱がそれぞれ収納される。このミシンによれば、ミシンの主要な付属品を、ミシン本体及びミシンカバーと共に収納できるため、ミシン全体の収納がコンパクトになり、又部品紛失のおそれが減少する。
【００１９】
本発明の好ましい実施の形態において、前記フットコントローラーは、弾性力によって前記第１の収納部又は前記第２の収納部に収納される。このミシンによれば、フットコントローラが確実に収納され、弾性力にはフットコントローラ自身のそれを利用することができる。
【００２０】
本発明の好ましい実施の形態において、ミシンカバーは、ミシンカバーを大型補助ベッドとして使用する場合、ミシンの載置面に点接触する複数の足部を有する。これによって、縫製時、ミシンカバー（大型補助ベッド）の共振が防止される。
【実施例１】
【００２１】
図面を参照して、本発明の一実施例を説明する。
【００２２】
まず、図１〜図６を参照して、本発明の一実施例に係るミシンの構造を説明する。
【００２３】
図１を参照すると、本発明の一実施例に係るミシン２０は、上面にベッド面１ａが形成されたベッド部１と、ベッド部１の一方の側面から立設された脚部２と、脚部２からベッド部１と鉛直方向に対向しながら水平方向に延在するアーム部３と、アーム部３の先端部から垂下する顎部５と、顎部５の下部に設けられた針取付部４と、を含むミシン本体１１を有する。
【００２４】
ベッド部１のミシン本体１１正面側には、切欠部６ａが設けられる。切欠部６ａ周辺において、後述するミシンカバー１２を大型補助ベッドとして使用するため、ベッド部１の角部と切欠側面には、穴１０ａとボス１０ｂがそれぞれ形成されている。図６を参照すると、顎部５は、針取付部４の視認性向上のため、ミシン本体１１正面側が下方に向かうに従ってミシン本体１１背面側へ徐々に後退している。
【００２５】
アーム部３の先方側面の上部と脚部側面の下部には、後述するミシンカバー脱着用の穴８ａ，８ｂがそれぞれ形成されている。
【００２６】
次に、ミシン本体１１を覆うミシンカバーについて説明する。
【００２７】
図４を参照すると、図１に示したミシン本体１１には、ミシン本体１１正面側（図中表側）から少なくとも針取付部４を覆うよう、ミシンカバー１２がミシン本体１１に脱着可能に装着される。
【００２８】
図４及び図５を参照すると、ミシンカバー１２は、ミシンカバー１２をミシン本体１１に装着した際、ミシン本体１１正面側と対向するミシンカバー１２内面に併設され、顎部５及び針取付部４とミシンカバー１２内面との間の空間に位置する第１の収納部１３、並びにアーム部３の中間部３ｍ（図１参照）、ベッド部１及び脚部２に囲まれた空間に位置する第２の収納部１４と、を有する。
【００２９】
第１の収納部１３には、ミシン２０の縫製動作を脚で調整するためのフットコントローラー１５が弾性力によって確実に収納され、第２の収納部１４には針、糸等の付属品を収納する付属品収納箱１６が収納される。
【００３０】
また、ミシンカバー１２の対向する内側面の上下にはそれぞれ、ミシンカバー１２を大型補助ベッドとして使用するための脱着手段として、ミシン本体１１側の穴８ａ，８ｂと嵌合するボス７ａ，７ｂが形成されている。
【００３１】
切欠部６ｂの角部と側部には、ミシンカバー１２を大型補助ベッドとして使用するための脱着手段として、ボス９ａと穴９ｂがそれぞれ形成されている。
【００３２】
次に、本発明の一実施例に係るミシンの各種状態を説明する。
【００３３】
［フリーアーム状態］
図１は、ミシン本体１１から図４に示したミシンカバー１２を取り外し、図２に示した小型補助ベッド１７を取り外したフリーアーム状態を図示している。フリーアーム状態では、例えば、筒物を縫製する。
【００３４】
［通常使用状態（小型補助ベッド使用状態）］
図２は、ミシン本体１１から図４に示したミシンカバー１２を取り外し、小型補助ベッド１７を取り付けて、通常の大きさの縫製物を縫製するための状態を示している。
【００３５】
図２を参照すると、ミシン本体１１には、図１に示した切欠部６ａに適合する形状を備え、ベッド面１ａと同一面をなす面を有する小型補助ベッド１７が、脱着可能に取り付けられている。小型補助ベッド１７は、図１に示した、ミシン本体１１に設けられた穴１０ａとボス１０ｂにそれぞれ嵌合する不図示のボスと穴を有し、これら二組のボスと穴を介してミシン本体１１に簡単に装着される。
【００３６】
［大型補助ベッド使用状態（ミシンカバーを大型補助ベッドとして使用している状態）］
図３は、ミシン本体１１からそれを覆っている（図４参照）ミシンカバー１２を取り外し、ミシン本体１１側の切欠部６ａとミシンカバー１２側の切欠部６ｂを適合させるよう取り付けた様子を示している。ミシンカバー１２は、大型補助ベッドとして、ミシン本体１１に、二組のボスと穴、すなわち、ミシンカバー１２側の図５に示したボス９ａ及び穴９ｂと、ミシン本体１１側の図１に示した穴１０ａとボス１０ｂと、を介して、脱着可能に取り付けられている。この大型補助ベッド使用状態では、ベッド部１の上面とミシンカバー１２の外面が同一面となり、長尺物、大尺物が縫製される。
【００３７】
また、図３及び図５を参照して、ミシンカバー１２は、大型補助ベッドとして使用される場合、ミシン２０の載置面に点接触する複数の足部１８ａ，１８ｂ，１８ｃを有する（図５参照）。足部１８ａ，１８ｂ，１８ｃの底部は、曲線状のプロファイルを有することにより、ミシンカバー１２、すなわち、大型補助ベッドはミシン２０の載置面に点接触することができ、これによって、縫製時、ミシンカバー（大型補助ベッド）１２の共振が防止される。
【００３８】
［カバー状態］
図４は、ミシン本体１１に、ミシンカバー１２をカバーとして取り付けた状態を示している。図４に示したカバー取付状態で、ミシンカバー１２の内面とミシン本体１１正面側との間に形成された空間に、図５に示すフットコントローラー１５と、付属品収納箱１６がコンパクトに収容される。
【産業上の利用可能性】
【００３９】
本発明のミシンカバーは、特に、民生用のミシンに好適に適用される。
【図面の簡単な説明】
【００４０】
【図１】本発明の一実施例に係るミシンの斜視図であって、ミシンカバーを取り外したフリーアーム時の状態を示す図である。
【図２】本発明の一実施例に係るミシンの斜視図であって、ミシンカバーを取り外し、小型補助ベッドを取り付けた通常使用時の状態を示す図である。
【図３】本発明の一実施例に係るミシンの斜視図であって、ミシンカバーを取り外して大型補助ベッドとして使用した状態を示す図である。
【図４】本発明の一実施例に係るミシンの斜視図であって、ミシンカバーをミシン本体に装着した状態を示す図である。
【図５】本発明の一実施例に係るミシンが有するミシンカバーの内側の様子を示す図である。
【図６】図１に示した顎部がミシン本体背面側に後退していることを説明するための図である。
【符号の説明】
【００４１】
１  ベッド部
１ａ  ベッド面
２  脚部
３  アーム部
３ｍ  アーム部の中間部
４  針取付部
５  顎部
６ａ  切欠部
６ｂ  切欠部
７ａ，７ｂ  ボス
８ａ，８ｂ  穴
９ａ  ボス
９ｂ  穴
１０ａ  穴
１０ｂ  ボス
１１  ミシン本体
１２  ミシンカバー
１３  第１の収納部
１４  第２の収納部
１５  フットコントローラー
１６  付属品収納箱
１７  小型補助ベッド
１８ａ，１８ｂ，１８ｃ  足部
２０  ミシン
【図１】
2006175030.tif 000003
【図２】
2006175030.tif 000004
【図３】
2006175030.tif 000005
【図４】
2006175030.tif 000006
【図５】
2006175030.tif 000007
【図６】
2006175030.tif 000008